(57)【要約】【解決手段】マルチ方位で使用できる塗布用具であって、細長い管体と、使用先端と、細長い管状殻体を含み、前記細長い管体には密封末端及び開放末端を有し、複数個の刻み線が前記細長い管体の長さ方向に対して垂直に刻んである。前記細長い管体は、下記のような方式で管状殻体に固定されている、二つの末端は前記細長い管体の両方の末端に近いところで密封されており、ユーザーが前記細長い管状殻体及び前記細長い管体を折り曲げると、前記細長い管体に刻み込まれた刻み線が裂けて、前記細長い管状殻体の中の前記液体が前記裂け目を経由して前記細長い管状殻体から押し出され、前記細長い管体及び前記使用先端へ入り込む。【選択図】図１
2007521051.tif 000002
【特許請求の範囲】
【請求項１】
細長い管体と、使用先端と、細長い管状殻体と、を含み、
前記細長い管体には、密封末端と、開放末端と、複数個の刻み線を有し、前記複数個の刻み線は前記細長い管体の長さ方向に対して垂直に刻まれ、
前記使用先端は、前記細長い管体の前記開放末端に固定され、
前記細長い管状殻体は、前記細長い管体及び液体を包み込むことが出来、そしてその二つの末端は前記細長い管体の両方の端に近いところで密封され、
ユーザーが前記細長い管状殻体及び前記細長い管体を折り曲げると、前記細長い管体の一本の刻み線が裂け、前記細長い管状殻体の中に内蔵された前記液体が裂け目を経由して前記細長い管状殻体から押し出され、前記細長い管体及び前記使用先端へ入ることを特徴とする、
マルチ方位で使用できる塗布用具。
【請求項２】
前記使用先端は、液体を吸収付着させる材料で構成されることを特徴とする、請求項１に記載のマルチ方位で使用できる塗布用具。
【請求項３】
前記使用先端は、ブラシであることを特徴とする、請求項１に記載のマルチ方位で使用できる塗布用具。
【請求項４】
三本の刻み線は、下記のような方式で前記細長い管体の長さ方向に対して垂直に刻まれている、
第一刻み線は、前記密封末端に近いところに設置され、
第二刻み線は、前記開放末端に近いところに設置され、
第三刻み線は、前記第一刻み線及び第二刻み線の中間点に近いところに設置されていることを特徴とする、
請求項１乃至３のいずれかに記載のマルチ方位で使用できる塗布用具。
【請求項５】
前記細長い管体の前記密封末端は、前記細長い管状殻体の密封末端に固定されていることを特徴とする、請求項１乃至３のいずれかに記載のマルチ方位で使用できる塗布用具。
【請求項６】
前記細長い管体の前記密封末端は、前記細長い管状殻体の密封末端に固定されていることを特徴とする、請求項４に記載のマルチ方位で使用できる塗布用具。
【請求項７】
細長い管体と、細長い管状殻体と、を含み、
前記細長い管体には、密封末端と、開放末端と、複数個の刻み線を有し、前記複数個の刻み線は前記細長い管体の長さ方向に対して垂直に刻まれ、
前記細長い管状殻体は、前記細長い管体及び液体を包み込むことが出来、そしてその二つの末端は前記細長い管体の両方の末端に近いところで密封され、
ユーザーが前記細長い管状殻体及び前記細長い管体を折り曲げると、前記細長い管体の一本の刻み線が裂け、前記細長い管状殻体の中に内蔵された前記液体が前記裂け目を経由して前記細長い管状殻体から押し出され、前記細長い管体及び前記使用先端へ入ることを特徴とする、マルチ方位で使用できる塗布用具。
【請求項８】
三本の刻み線は、下記のような方式で前記細長い管体の長さ方向に対して垂直に刻まれている、
第一刻み線は、前記密封末端に近いところに設置され、
第二刻み線は、前記開放末端に近いところに設置され、
第三刻み線は、前記第一刻み線及び第二刻み線の中間点に近いところに設置されていることを特徴とする、
請求項７に記載のマルチ方位で使用できる塗布用具。
【請求項９】
前記細長い管体の前記密封末端は、前記細長い管状殻体の密封末端に近いところに固定されていることを特徴とする請求項７又は８のいずれかに記載のマルチ方位で使用できる塗布用具。
【発明の詳細な説明】
【技術分野】
【０００１】
本発明は、スワッブ（swab）式塗布用具、特に液体を内蔵したスワッブ式塗布用具に関するものである。
【背景技術】
【０００２】
スワッブ式塗布用具は、通常管状摘み体および液体を吸収できる使用先端（tip）を含み、前記使用先端は前記管状摘み体の一方或いは両方の末端部に設置されている。前記使用先端は脱脂綿又は気泡ゴムなどの材料で構成され、前記使用先端は又ブラシであることもある。前記管状摘み体は木材・紙又はプラスチックで構成され、且つ中実体又は中空体であることがある。
【０００３】
スワッブ式塗布用具には数多くの用途がある。スワッブ式塗布用具は、各種の物質、例えば液体・ローション・クリームや各種化学物質及び薬物を塗布したり拭き取ったり出来る便利で衛生的な用具である。通常、まず乾燥したスワッブ式塗布用具の使用先端を塗布用液の中に漬けて液体を吸収付着させる。次に前記湿潤した使用先端を塗布面と接触させて前記塗布用液を塗布面に塗布する。スワッブ式塗布用具は又各種の物質、例えば化粧品やサンプルなど、を払拭したり抽出したりすることが出来る。
【０００４】
中空管状摘み体のスワッブ式塗布用具について言えば、ある液体を前記中空管状摘み体の中空部分に入れておくことが出来る。
しかし、前記使用先端が下向き状態に置かれた場合は、液体を前記使用先端へ移動させることができるが（重力によって液体を前記中空管状摘み体の中で使用先端の方へ移動させる）、前記使用先端が上向き状態に置かれた場合、前記液体は前記使用先端へ流れ続けることはない。
また、前記使用先端の前記液体が使われて仕舞った場合、前記液体を改めて補充するためには、前記スワッブ式塗布用具をひっくり返して前記使用先端を下向きにしなければならない。
【発明の開示】
【発明が解決しようとする課題】
【０００５】
本発明の目的は、塗布用具がどの方位に向けて（マルチ方位）置かれても、前記内蔵された液体が前記使用先端へ流動するようにした液体を内蔵したスワッブ式塗布用具を提供することにある。
【課題を解決するための手段】
【０００６】
マルチ方位で使用できる塗布用具は、細長い管体と、使用先端と、細長い管状殻体と、を含む。前記細長い管体は、密封末端と、開放末端を備え、前記使用先端は前記細長い管体の前記開放末端に固定され、複数個の刻み線が前記細長い管体の長さ方向に対して垂直に刻んである。前記細長い管体は、下記のような方式で管状殻体に固定されている。二つの末端は前記細長い管体の両方の端に近いところで密封されている。ユーザーが前記細長い管状殻体及び前記細長い管体を折り曲げると、前記細長い管体に刻み込まれた刻み線が裂け、前記細長い管状殻体の中の前記液体が押し出され、前記裂け目を経由して前記細長い管体及び前記使用先端へ入り込む。本発明に係るマルチ方位で使用できる塗布用具は、任意の方位においても使用することが出来、ユーザーは任意の刻み線を選び、折り曲げて裂くことによって前記液体の量をコントロールすることが出来る、つまり、任意の刻み線のところで折り曲げて裂くことによって、相応の液体量を放出することが出来る。
【発明の効果】
【０００７】
本発明に係るマルチ方位で使用できる塗布用具によれば、塗布用具の向けられた方位に関係なく、内蔵された液体を塗布することが出来る。
【発明を実施するための最良の形態】
【０００８】
図１は本発明の好ましい実施例である。この好ましい実施例について言えば、前記マルチ方位で使用できる塗布用具は、細長い管体１と、前記管体１の密封末端２と、開放末端３と、を含み、前記細長い管体１の前記開放末端３には使用先端４が固定されており、複数個の刻み線５・６・７が前記細長い管体１の長さ方向に対して垂直に刻まれている。
【０００９】
前記使用先端４は脱脂綿スワッブや気泡ゴムによって構成された使用先端、又はブラシであってよい。この好ましい実施例について言えば、３本の刻み線５・６・７は下記のような方式で前記細長い管体１の長さ方向に対して垂直に刻まれている、第一刻み線５は、前記密封末端２の近くに設置され、第二刻み線７は、前記開放末端３の近くに設置され、そして第三刻み線６は前記第一刻み線５及び第二刻み線７の中間点の近くに設置されている。
【００１０】
前記細長い管体１は、下記のような方式で細長い管状殻体８の中に固定されている、二つの末端９及び１０は、前記二つの末端２及び３に近いところで密封され、前記管状殻体８には液体１１が包み込まれている。この実施例について言えば、前記細長い管体１の前記密封末端２は前記細長い管状殻体８の密封末端９に固定されている。ユーザーが前記細長い管状殻体８及び前記細長い管体１を折り曲げると、前記３本の刻み線５・６・７の一本が裂け、前記管状殻体８の中にある前記液体１１が前記裂け目を経由して前記細長い管状殻体８から押し出され、前記細長い管体１及び前記使用先端４へ入る。
【００１１】
前記マルチ方位で使用できる塗布用具は、任意の方位で使用することが出来る、ユーザーは刻み線５・６・７のうちの任意の一本を選び、折り曲げて、裂くことが出来る。ユーザーは、下記のような方式で前記液体１１の量をコントロールすることが出来る。つまり刻み線５・６・７のうちの任意の一本を選び、折り曲げて裂くと、相応の量の前記液体１１が放出される。例えば、前記使用先端４が上向きに置かれている場合、前記密封末端２に近いところに設置された前記第一刻み線５を裂き且つ前記液体１１の殆ど全部を前記使用先端４へ放出することが出来る（ユーザーが前記細長い管状殻体８を押さえると）。もし、前記細長い管体１の中間点に近いところの前記第三刻み線６が裂かれると、前記液体１１の凡そ半分が前記使用先端４へ放出される（ユーザーが前記細長い管状殻体８を押さえると）。又、例えば、前記使用先端４が下向きに置かれた場合、前記開放末端３のところの前記第二刻み線７を裂き、且つ前記液体１１の殆ど全部を前記使用先端４へ放出することが出来る（ユーザーが前記細長い管状殻体８を押さえると）。もし、前記細長い管体１の中間点に近いところの前記第三刻み線６が裂かれると、前記液体１１の凡そ半分が前記使用先端４へ放出される（ユーザーが前記細長い管状殻体８を押さえると）。
【００１２】
上述詳細な説明は、本発明の一実施例についての具体的説明であるが、ただし前記実施例は本発明の特許範囲を制限するものではなく、凡そ本発明の技芸精神を逸脱せずなされる等価実施又は変更は、すべて本発明の特許請求範囲に含まれるものとする。
【図面の簡単な説明】
【００１３】
【図１】マルチ方位で使用できる塗布用具の好ましい実施例の断面図である。
【符号の説明】
【００１４】
１      管体
２      密封末端
３      開放末端
４      使用先端
５      第一刻み線
６      第三刻み線
７      第二刻み線
８      管状殻体
９      末端
１０    末端
１１    液体
2007521051.tif 000003
【国際調査報告】
2007521051.tif 000004